(57)【要約】【課題】従来のノート型パソコン等のディスク記録及び／又は再生装置では、ディスクドライブ装置の占める体積（特に面積）が他の搭載部品に対して大きいため、ノート型パソコン等の小型化が困難であった。【解決手段】光ディスク２０が着脱可能に装着されるターンテーブル１８を有し、そのターンテーブル１８に装着されて回転駆動される光ディスク２０に対して情報信号の記録及び／又は再生が可能なディスクドライブ装置１０と、そのディスクドライブ装置が移動可能に収納されるドライブ収納部１２を有する筐体２と、を備えたディスク記録及び／又は再生装置に関する。ディスクドライブ装置１０は、使用時においてドライブ収納部１２から突出する方向に移動され、ターンテーブル１８に装着された光ディスク２０の少なくとも一部がドライブ収納部から突出した状態で記録及び／又は再生を行うようにした。【選択図】図４
2008310906.tif 000002
【特許請求の範囲】
【請求項１】
ディスク状記録媒体が着脱可能に装着されるディスク装着部を有し、当該ディスク装着部に装着されて回転駆動されるディスク状記録媒体に対して情報信号の記録及び／又は再生が可能なディスクドライブ装置と、
前記ディスクドライブ装置が移動可能に収納されるドライブ収納部を有する筐体と、
を備えたディスク記録及び／又は再生装置であって、
前記ディスクドライブ装置は、使用時において前記ドライブ収納部から突出する方向に移動され、前記ディスク装着部に装着されたディスク状記録媒体の少なくとも一部が当該ドライブ収納部から突出した状態で前記記録及び／又は再生を行うようにした
ことを特徴とするディスク記録及び／又は再生装置。
【請求項２】
前記ディスクドライブ装置は、前記筐体に対して旋回移動可能に支持され、
当該ディスクドライブ装置を旋回動作させることにより、前記ディスク装着部に装着されたディスク状記録媒体の少なくとも一部を前記ドライブ収納部から突出させるようにした
ことを特徴とする請求項１記載のディスク記録及び／又は再生装置。
【請求項３】
前記ディスクドライブ装置を移動させるドライブ搬送機構を設け、
当該ドライブ搬送機構を動作させることにより、前記ディスク装着部に装着されたディスク状記録媒体の少なくとも一部を前記ドライブ収納部から突出させるようにした
ことを特徴とする請求項１記載のディスク記録及び／又は再生装置。
【請求項４】
前記ドライブ収納部から突出した前記ディスク状記録媒体の突出部の、少なくとも情報記録面又は当該情報記録面と反対側の面を覆うディスクカバーを設けた
ことを特徴とする請求項２又は３記載のディスク記録及び／又は再生装置。
【請求項５】
前記ディスクカバーは、前記筐体の前記ドライブ収納部又は当該ドライブ収納部に取り付けられる筐体側部材に移動可能又は回動可能に支持し、
当該ディスクカバーを、使用時に前記ドライブ収納部から引き出して前記ディスク状記録媒体の全体又は前記突出部を覆うようにした
ことを特徴とする請求項４記載のディスク記録及び／又は再生装置。
【請求項６】
前記ディスクカバーは、前記ディスク状記録媒体の突出部を覆うことができる入れ子式に組み合わされた２以上のカバー体からなり、
前記２以上のカバー体を連動させて開くことにより前記ディスク状記録媒体の全体又は前記突出部を覆うようにした
ことを特徴とする請求項４記載のディスク記録及び／又は再生装置。
【請求項７】
前記ディスクドライブ装置は、前記ディスク装着部を有するスピンドルモータと、前記ディスク装着部に装着されたディスク状記録媒体に対して情報信号の記録及び／又は再生が可能なピックアップ装置と、前記ピックアップ装置を前記スピンドルモータに対して接近及び離反する方向へ進退移動可能に支持するシャーシと、を備え、
前記シャーシを前記筐体に対して傾動可能に支持し、
前記ディスクドライブ装置の使用時には当該シャーシを略水平に支持して前記ディスク装着部を厚くし、非使用時には当該シャーシを前傾させて前記ディスク装着部を薄くした
ことを特徴とする請求項１記載のディスク記録及び／又は再生装置。
【請求項８】
前記ディスクドライブ装置は、前記ディスク装着部を有するスピンドルモータと、前記ディスク装着部に装着されたディスク状記録媒体に対して情報信号の記録及び／又は再生が可能なピックアップ装置と、前記ピックアップ装置を前記スピンドルモータに対して接近及び離反する方向へ進退移動可能に支持するシャーシと、を備え、
前記スピンドルモータを前記シャーシに対して進退移動可能に支持し、
前記ディスクドライブ装置の使用時には当該スピンドルモータを前進させて前記ディスク装着部を厚くし、非使用時には当該スピンドルモータを後退させて前記ディスク装着部を薄くした
ことを特徴とする請求項１記載のディスク記録及び／又は再生装置。
【請求項９】
前記スピンドルモータの回転を検出する回転検出手段と、
前記ディスク状記録媒体の全体又は前記突出部を覆う前記ディスクカバーを、その被覆状態でロックするカバーロック手段と、を設け、
前記回転検出手段で前記スピンドルモータの回転を検出したときには前記カバーロック手段のロック解除を阻止するようにした
ことを特徴とする請求項４記載のディスク記録及び／又は再生装置。
【発明の詳細な説明】
【技術分野】
【０００１】
本発明は、ディスク状記録媒体を回転駆動して当該ディスク状記録媒体に対してピックアップ部により情報信号の記録及び／又は再生を行うディスクドライブ装置を備えたディスク記録及び／又は再生装置に関し、特に、小型・薄型化の要求に対応し得るディスク記録及び／又は再生装置に関する。
【背景技術】
【０００２】
一般に、ディスク状記録媒体としては、ＣＤ(Compact Disk)やＤＶＤ(Digital Versatile Disk)といった光ディスクや、ＭＤ(Mini Disk)等の光磁気ディスク、或いは、ＦＤ(floppy disk) 等の磁気ディスク等が広く知られている。これらのディスク状記録媒体を用いて情報信号の記録や再生を行うために、各種の情報処理装置が提供されている。特に、記憶容量の大容量化、処理速度の高速化等の観点から、ディスク状記録媒体として光ディスクを用い、その光ディスクに対して光ピックアップで情報信号の記録及び／又は再生を行う光ディスク装置が多く使用されている。
【０００３】
このような光ディスク装置を用いたディスク記録及び／又は再生装置の代表的な例として、例えば、ノート型パーソナルコンピュータ（以下「ノート型パソコン」という。）を挙げることができる。このノート型パソコンは、モバイル型の情報処理装置として広く普及されているが、更なる薄型化が強く求められている。
【０００４】
このノート型パソコンに搭載されて使用されるディスクドライブ装置には、光ディスクをターンテーブルに装着する方式に関連して各種のものが提供されている。
その１は、筐体に設けられた蓋や扉を開放し、その開放部に臨むターンテーブルに光ディスクを直接装着するもの（タイプ１）、
その２は、筐体に対して水平方向に出し入れ可能とされたディスクトレイを設け、そのディスクトレイに光ディスクを載置することにより、ディスクトレイが筐体内に引き込まれた際に、ターンテーブルに自動的に装着されるもの（タイプ２）、
その３は、その２のディスクトレイにターンテーブルが一体的に設けられ、ディスクトレイが筐体外へ搬送された際に、そのターンテーブルに光ディスクを直接装着するもの（タイプ３）、等である。
【０００５】
しかしながら、上述したタイプ１〜タイプ３のいずれのディスクドライブ装置を備えたノート型パソコンにおいても、光ディスクの使用時である記録又は再生時には、光ディスクが筐体内に完全に収納された状態で駆動される構成となっている。そのため、いずれのディスクドライブ装置を搭載したノート型パソコンであっても、装置全体の更なる小型化を図ることが困難であった。
【０００６】
一般に、ノート型パソコンには、ハードディスク装置（ＨＤＤ）を始めとして、中央処理装置（ＣＰＵ）や各種の電子部品或いはコネクタ等が実装されたメイン基板や、バッテリーその他のデバイス等多くの装置、機構が搭載されている。また、一般的に使用される光ディスクの大きさが直径１２ｃｍの大径ディスクであり、この大きさの光ディスクを完全に収納するためには、ディスクドライブ装置のサイズよりも十分に大きなスペースを確保する必要がある。特に、ディスクドライブ装置の面積に関しては、概ね規格等で決められている場合が多かった。そのため、一般的なノート型パソコンにおいて、その筐体内にディスクドライブ装置を内蔵すると、筐体に占めるディスクドライブ装置の容積の割合が高くなり、装置全体を小型化することが困難であった。
【０００７】
従来の、この種のディスク記録及び／又は再生装置としては、例えば、特許文献１に記載されているようなものがある。特許文献１には、電子機器の小型、軽量、薄型化を維持しつつ、多機能化を実現する拡張ユニット及び電子機器に関するものが記載されている。この特許文献１に記載された電子装置は、「拡張ユニットが着脱可能に挿入可能な拡張ベイスロットを有する筐体であって、前記拡張ベイスロットは前記筐体の底面で開口して前記拡張ユニットが前記筐体の底面から突出することを可能にする筐体と、前記筐体に設けられて前記拡張ユニットと電気的に接続可能な接続部とを有する」ことを特徴としている。
【０００８】
このような構成を有する電子装置によれば、「電子機器を小型、軽量、薄型に維持しつつ拡張ユニットによる多機能化を実現することに役立つ」（明細書の段落［０２２７］）という効果が期待される。
【特許文献１】特開２００１−１２５６８０号公報
【０００９】
また、ノート型パソコンのなかには、元々ディスクドライブ装置を搭載しないタイプも存在する。一般には、光ディスクの使用される頻度は少ないため、始めからディスクドライブ装置を搭載しないことで、ノート型パソコン全体の小型・軽量化を図ることができる。更に、別のデバイス（メイン基板やバッテリー等）のためのスペースとして有効に活用することもできる。なお、この種のノート型パソコンでは、光ディスクを使用するときには、外付けのディスクドライブ装置をＵＳＢ等のインターフェースを介して接続して使用することになる。
【００１０】
更に、別のノート型パソコンとして、ドッキングステーションの方式も見られる。これは、ノート型パソコンの本体とは別にベースステーションを設け、パソコン本体とベースステーションを着脱自在に構成したものである。このノート型パソコンでは、パソコン本体とベースステーションを着脱自在に構成することで、携帯時のノート型パソコンの小型・軽量化ができるという利点がある。なお、ベースステーションには、ディスクドライブ装置や色々なインターフェースコネクタなど、使用頻度の少ないデバイスと、補助用のバッテリーなどを搭載している場合がある。このベースステーションは、主に卓上に置かれて使用され、携帯を必要としない時に、ノート型パソコンの本体とこのベースステーションを合体させることにより使用される。
【００１１】
しかしながら、ノート型パソコンの小型・薄型化の要請は非常に強く、その小型・薄型化のキーポイントとなるディスクドライブ装置を筐体内に収納することを考えると、ノート型パソコンの小型・薄型化には限界があった。即ち、ＨＤＤやメイン基板の小型化には、必要な記録容量やその機能を確保する等の理由から、自ずと限界がある。また、バッテリーにはエネルギ効率の高い材料が要求されると同時に、使用時間をできるだけ長く確保するために大型化が好ましい。ところが、筐体の大きさを変えないでバッテリーを大型にすると、その分だけディスクドライブ装置のためのスペースが小さなものとなり、筐体内に光ディスクを収納することがより一層困難になる。
【００１２】
一方、従来のノート型パソコンを小型化する方法としては、前述したように、始めからディスクドライブ装置の搭載を省略する場合（以下「第１の場合」という。）と、ドッキングステーションを別個独立に設けて使用時に接続して用いる場合（以下「第２の場合」という。）とがある。しかしながら、第１及び第２の場合の何れにおいても、ノート型パソコンの小型・薄型・軽量化というメリットは得られるが、携帯時において光ディスクが利用できないことになり、光ディスクの使用の利便性を犠牲にすることになる。
【００１３】
この点に関して、ディスクドライブ装置の使用機会は少ないが、必要となることがあることに変わりはない。そのため、ノート型パソコンの小型・薄型化を維持しながら、外出先においても光ディスクを利用できるようにすることは望ましいことである。
【発明の開示】
【発明が解決しようとする課題】
【００１４】
解決しようとする問題点は、従来のディスク記録及び／又は再生装置では、ディスクドライブ装置が収納される筐体の小型化には限界があり、筐体内でディスクドライブ装置にディスク状記録媒体を装着して使用する形態を維持しつつ、装置全体の小型化、薄型化を図ることが困難であるという点である。
【課題を解決するための手段】
【００１５】
上述した課題を解決するために、本出願のディスク記録及び／又は再生装置は、ディスク状記録媒体が着脱可能に装着されるディスク装着部を有し、そのディスク装着部に装着されて回転駆動されるディスク状記録媒体に対して情報信号の記録及び／又は再生が可能なディスクドライブ装置と、そのディスクドライブ装置が移動可能に収納されるドライブ収納部を有する筐体と、を備えたディスク記録及び／又は再生装置であって、ディスクドライブ装置は、使用時においてドライブ収納部から突出する方向に移動され、ディスク装着部に装着されたディスク状記録媒体の少なくとも一部がドライブ収納部から突出した状態で記録及び／又は再生を行うようにしたことを最も主要な特徴とする。
【発明の効果】
【００１６】
本出願のディスク記録及び／又は再生装置では、ディスクドライブ装置の使用時には、ディスク装着部に装着されたディスク状記録媒体の少なくとも一部が筐体の外部に突出され、その状態でディスク状記録媒体が回転駆動されて情報信号の記録及び／又は再生が実行される。そのため、ディスク記録及び／又は再生装置全体の小型化、薄型化を図りつつ、ディスク状記録媒体の使用の利便性を確保することができる。
【発明を実施するための最良の形態】
【００１７】
筐体のドライブ収納部にディスクドライブ装置を移動可能に設け、ディスクドライブ装置の使用時には、ディスク装着部に装着されたディスク状記録媒体の少なくとも一部をドライブ収納部から突出させる構成とする。これにより、装置全体の小型化、薄型化を図りつつ、ディスク状記録媒体の使用の利便性を確保できるディスク記録及び／又は再生装置を、簡単な構造によって実現した。
【実施例１】
【００１８】
図１〜図３７は、本発明の実施の形態の例を示すものである。即ち、図１〜図８は本発明のディスク記録及び／又は再生装置の第１の実施の例を示すもので、図１はノート型パーソナルコンピュータ（ノート型パソコン）の斜視図、図２は筐体の一部を断面してディスクドライブ装置の収納（旋回前）状態を説明する平面図、図３はディスクドライブ装置の旋回途中状態を説明する平面図、図４は旋回後状態を説明する平面図、図５はディスクカバーの第１の実施の例の装着状態の説明図、図６は本発明のディスクドライブ装置に係るドライブユニットの斜視図、図７はドライブユニットの平面図、図８Ａはディスクドライブ装置の収納状態の断面図、図８Ｂは旋回後状態の断面図、図８Ｃはディスク装着状態の断面図である。図９Ａ〜図９Ｃは本発明のディスクドライブ装置の第２の実施の例を断面して示す説明図、図１０Ａ〜図１０Ｃは本発明のディスクドライブ装置の第３の実施の例を断面して示す説明図である。
【００１９】
図１１〜図１８は本発明のディスクカバーの第２の実施の例を示すもので、図１１はディスクドライブ装置の収納状態を説明する平面図、図１２Ａは旋回途中状態を説明する平面図、図１２Ｂは旋回後状態を説明する平面図、図１３Ａはディスクカバーの後退状態を説明する平面図、図１３Ｂはディスク装着状態を説明する平面図、図１４Ａはディスクカバーの前進状態を説明する平面図、図１４Ｂはディスクカバーの展開途中状態を説明する平面図、図１５はディスクカバーの展開後状態を説明する平面図、図１６はディスクカバーの組立状態の斜視図、図１７はディスクカバーの分解状態の斜視図、図１８Ａはディスクドライブ装置の収納状態の断面図、図１８Ｂは旋回後状態の断面図、図１８Ｃはディスクカバー展開状態の断面図である。
【００２０】
図１９〜図２２は本発明のディスク記録及び／又は再生装置の第２の実施の例を示すもので、図１９はディスクドライブ装置の収納（移動前）状態を説明する平面図、図２０Ａはディスクドライブ装置のみが前進して突出した状態の説明図、図２０Ｂはディスクカバーも突出した状態の説明図、図２１Ａは第２の実施の例に係るディスクカバーの展開途中状態を説明する平面図、図２１Ｂはディスクカバーの展開後状態を説明する平面図、図２２は第２の実施の例に係るディスクカバーを備えたノート型パソコンの外観斜視図である。
【００２１】
図２３〜図２６は本発明のディスクカバーの第３の実施の例を示すもので、図２３はディスクドライブ装置の収納（移動前）状態を説明する平面図、図２４Ａはディスクドライブ装置のみが前進して突出した状態の説明図、図２４Ｂはディスクドライブ装置が後退した状態の説明図、図２５Ａは第３の実施の例に係るディスクカバーの展開途中状態を説明する平面図、図２５Ｂはディスクカバーの展開後状態を説明する平面図、図２６は第３の実施の例に係るディスクカバーを備えたノート型パソコンの外観斜視図である。
【００２２】
図２７〜図３４は本発明のディスクカバーの第４の実施の例を示すもので、図２７はディスクドライブ装置の収納（移動前）状態を説明する平面図、図２８Ａはディスクドライブ装置のみが前進して突出した状態の説明図、図２８Ｂはディスクドライブ装置が後退した状態の説明図、図２９Ａは第４の実施の例に係るディスクカバーの展開途中状態を説明する平面図、図２９Ｂはディスクカバーの展開後状態を説明する平面図、図３０Ａはディスクドライブ装置の収納状態の断面図、図３０Ｂはディスク装着状態の断面図、図３０Ｃはディスクカバー展開状態の断面図、図３１は図３０Ｃの要部拡大断面図、図３２はディスクカバーの分解状態の斜視図、図３３はディスクカバーの組立状態の斜視図、図３４は第４の実施の例に係るディスクカバーを備えたノート型パソコンの外観斜視図である。
【００２３】
また、図３５Ａはディスクカバーの支持構造の他の実施の例を示す平面図、図３５Ｂは同じく断面図、図３６は図３５Ｂの要部拡大断面図である。更に、図３７は第５の実施の例に係るディスクカバーを備えたノート型パソコンの外観斜視図である。
【００２４】
まず、図１を参照して、本発明のディスク記録及び／又は再生装置の第１の実施の例として示すノート型パーソナルコンピュータ（ノート型パソコン）について説明する。このノート型パソコン１は、偏平な直方体をなす筐体２と、同じく偏平な直方体をなす蓋体３とを備えて構成されている。筐体２及び蓋体３は、それぞれに所定の大きさを有する空間部が設けられていると共に、互いに重なり合って積層可能に構成されている。即ち、筐体２の上に蓋体３が積層され、その筐体２と蓋体３がヒンジ機構４によって回動可能に連結されている。
【００２５】
ヒンジ機構４は、筐体２の上面後方両側部において左右方向へ延在するように設けた一対の筐体側ヒンジ部４ａ，４ａと、蓋体３の後方中央部において左右方向へ延在すると共に一対の筐体側ヒンジ部４ａ，４ａ間に挟まれるように設けた蓋体側ヒンジ部４ｂと、同一軸心線上に対向された一対の筐体側ヒンジ部４ａ，４ａと蓋体側ヒンジ部４ｂを貫通するヒンジ軸４ｃとの組み合わせからなっている。このヒンジ機構４によって筐体２と蓋体３が回動可能に連結され、筐体２に対して蓋体３が上下方向へ回動可能とされたノート型パソコン１が構成されている。なお、蓋体３は筐体２に対して、任意の角度位置でその傾斜した姿勢を保持できるように構成されている。
【００２６】
図１に示すように、蓋体３の内面である筐体２の上面と対向する面には、周囲にわずかな縁取りを残して開口部５が設けられている。蓋体３の開口部５には、その内部に収納された表示装置である液晶ディスプレイや有機ＥＬディスプレイ、表面電界ディスプレイ等の平面表示パネル６が臨まれている。平面表示パネル６の内側には、図示しないが、平面表示パネル６の背面側に光を当てるバックライトや、平面表示パネル９の画面を制御する制御装置が搭載された配線基板等が必要に応じて収納されている。そして、各種の情報や画像等が平面表示パネル６に表示可能に構成されている。
【００２７】
また、筐体２の上面である蓋体３の開口部５と対向する面には、多数のキーを有するキー式入力部７と、タッチパネル式入力手段等を備えた入力操作を行うためのタッチ式入力部８が設けられている。これらの入力部７，８から制御信号が入力され、所定の情報処理等が行われる。この筐体２の内部には、次に述べるディスクドライブ装置１０と、このディスクドライブ装置１０やその他の装置、機器等を制御する制御装置が搭載された図示しない配線基板と、ディスクドライブ装置１０や制御装置等に電力を供給する図示しないバッテリー電源等が収納されている。
【００２８】
ノート型パソコン１は、ベースプレート１１によって出し入れされるドライブユニットであるディスクドライブ装置１０を備えている。このディスクドライブ装置１０は、ディスク状記録媒体を回転駆動して情報信号の記録（書込み）や再生（読出し）を行うものであり、筐体２の内部に収納されている。このディスクドライブ装置１０を出し入れ可能に収納するため、筐体２にはドライブ収納部１２が設けられている。ドライブ収納部１２は、筐体２の一方の側面に開口された開口部を有しており、その開口部からディスクドライブ装置１０の略全体が筐体２の外へ大きく突出可能に構成されている。
【００２９】
ディスクドライブ装置１０は、図６及び図７に示すような構成を有している。即ち、ディスクドライブ装置１０は、ベースプレート１１に固定して支持されるベース枠材１４と、このベース枠材１４に取り付けられたディスク回転駆動機構１５と、光ピックアップ１６と、ピックアップ移動機構１７等を備えて構成されている。このディスクドライブ装置１０に用いられるディスク状記録媒体としては、光ディスクは勿論のこと、光磁気ディスク、磁気ディスク等のように各種の記録用ディスクを用いることができる。
【００３０】
更に、光ディスクにおいても、再生専用のＣＤ、ＣＤ−ＲＯＭ、ＤＶＤ−ＲＯＭ等の光ディスクは勿論のこと、１回の記録或いは何度でも記録が可能なＣＤ−ＲＷ、ＤＶＤ−Ｒ、ＤＶＤ−ＲＷ等の光ディスクのように各種の光ディスクを適用することができる。これらに対応して、ディスク記録及び／又は再生装置としては、例えば、光ディスク式記録装置、光ディスク式再生装置、光ディスク式記録再生装置、光ディスク式撮像装置、光磁気ディスク式記録装置、光磁気ディスク式再生装置、光磁気ディスク式撮像装置、磁気ディスク式記録装置、磁気ディスク式再生装置、磁気ディスク式記録再生装置等を挙げることができる。
【００３１】
また、このディスクドライブ装置１０に使用される光ディスク等の大きさは、この実施例では、直径が１２ｃｍのディスク状記録媒体を用いた例について説明しているが、この大きさに限定されるものではなく、直径が８ｃｍのディスク状記録媒体は勿論のこと、その他の大きさのディスク状記録媒体を対象とすることができることは勿論である。更に、ディスク状記録媒体として、直径が異なる複数種類のディスク、例えば、直径が１２ｃｍの光ディスクと、直径が８ｃｍの光ディスクとのいずれにも対応できるように構成することもできる。
【００３２】
図６〜図７に示すように、ディスクドライブ装置１０のディスク回転駆動機構１５は、ディスク装着部となるターンテーブル１８を有しており、このターンテーブル１８に光ディスク２０が装着される。このディスク回転駆動機構１５のターンテーブル１８を回転駆動することにより、光ディスクが所定速度（例えば、線速度一定）で回転される。光ピックアップ１６は、ターンテーブル１８に装着されて回転駆動される光ディスクに対して、その情報記録面に光ビームを照射して新たに情報を書き込み、或いは、照射した光ビームの反射光を読み込むことにより、予め情報記録面に記録されている情報を読み出す。
【００３３】
ピックアップ移動機構１７は、光ピックアップ１６を、ターンテーブル１８に装着されて回転駆動される光ディスクの情報記録面に沿って半径方向外側又は内側へ移動させる。この半径方向外側又は内側への移動時に、光ピックアップ１６による情報信号の記録及び／又は再生動作が実行される。ベース枠材１４は、これらディスク回転駆動機構１５と光ピックアップ１６とピックアップ移動機構１７が搭載されるものであり、ベースプレート１１上に搭載されて固定され、或いは、ベースプレート１１に対して姿勢変更可能若しくは平行移動可能に取り付けられている。
【００３４】
ベース枠材１４は、板金を所定の形状に打ち抜き、その周囲を僅かに下方へ折り曲げることによって形成されている。図７に示すように、ベース枠材１４の平面形状は、長方形の４つの角部に大きな面取り部を設けると共に、内側に大きな開口部２１を設け、全体として横長の略八角形をなす枠体として形成されている。開口部２１は、光ピックアップ１６の上部を露出させるピックアップ用開口部２１ａと、ディスク回転駆動機構１５のターンテーブル１８を上方へ臨ませるテーブル用開口部２１ｂを有している。ピックアップ用開口部２１ａは、光ピックアップ１６の上部全体を露出させるように大きく略矩形に形成されており、その長手方向の一側に略半円形をなすテーブル用開口部２１ｂが配置されている。
【００３５】
開口部２１のテーブル用開口部２１ｂには、テーブル回転駆動機構１５が配置されている。テーブル回転駆動機構１５は、図７に示すように、光ディスクが着脱可能に装着されるターンテーブル１８を有するスピンドルモータ１９と、このスピンドルモータ１９を固定してベース枠材１４に支持する支持プレート２２を有している。ターンテーブル１８は、スピンドルモータ１９の回転部に装着されて一体的に設けられており、支持プレート２２に固定された固定部によって回転自在に支持されている。このターンテーブル１８の載置部１８ｂが、ベース枠材１４のテーブル用開口部２１ｂから僅かに上方へ突出するように、スピンドルモータ１９を支持する支持プレート２２がベース部材１４の下面にねじ止めされて取り付けられている。
【００３６】
ターンテーブル１８は、光ディスクの中心穴に嵌合される円柱状の凸部からなる嵌合部１８ａと、光ディスクの中心穴の周縁部が載置される載置部１８ｂを有している。嵌合部１８ａと載置部１８ｂは一体に形成されており、載置部１８ｂには、光ディスク２０との接触を和らげるリング状のクッション材２３が取り付けられている。嵌合部１８ａには、光ディスクの中心穴に係合される複数（本実施例では３個）の係止爪２４が周方向へ等間隔に配置されている。各係止爪２４は、図示しないコイルばね等の弾性部材により付勢され、各先端部が嵌合部１８ａの外周面から半径方向外側へ突出されている。これらの係止爪２４がチャッキング機構をなしており、すべての係止爪２４を中心穴に係合することにより、光ディスク２０がターンテーブル１８に保持される。
【００３７】
このディスク回転駆動機構１５に対して、光ピックアップ１６が所定の範囲内で接近及び離反可能に構成されている。光ピックアップ１６は、光ビームを出射する光源となる半導体レーザと、戻りの光ビームを受光する受光素子等からなる光検出器を有している。この光ピックアップ１６は、半導体レーザから光ビームを出射し、その光ビームを対物レンズ２６により集光して光ディスクの情報記録面に照射すると共に、その情報記録面で反射された戻りの光ビームを光検出器で受光する。これにより、光ディスクの情報記録面に対する情報信号の書き込み又は読み出しを行うことができる。
【００３８】
また、光ピックアップ１６は、対物レンズ２６を光軸方向（以下「フォーカシング方向」という。）と、光ディスクの記録トラックと直交する方向（以下「トラッキング方向」という。）に変位駆動する２軸アクチュエータ等の対物レンズ駆動機構を有している。この対物レンズ駆動機構が、光検出器により検出された光ディスクからの検出信号に基づいて対物レンズ２６をフォーカシング方向及びトラッキング方向に変位させながら、情報記録面上に対物レンズ２６の焦点を合わせる。これにより、対物レンズ２６の焦点を情報記録面上に合わせるフォーカスサーボや、対物レンズ２６により集光される光ビームのスポットを記録トラックに追従させるトラッキングサーボ等の駆動制御が実行される。この光ピックアップ１６が、ピックアップ移動機構１７を介してベース枠材１４に搭載され、ターンテーブル１８に対して所定の範囲内で接近及び離反可能とされている。
【００３９】
ピックアップ移動機構１７は、ピックアップベース２７と一対のガイド軸２８，２９と送りねじ軸３１と駆動モータ３２を有している。ピックアップベース２７は、２軸アクチュエータや光検出器等が収納される偏平なブロック状の部材からなり、一対のガイド軸２８，２９によって移動可能に支持されている。一対のガイド軸２８，２９は、ベース枠材１４の下面においてターンテーブル１８の一側に、互いに所定の間隔をあけて略平行となるように配置されている。そして、一対のガイド軸２８，２９は、ベース枠材１４の４箇所において、それぞれ軸受部によって両端支持されている。各軸受部は、ベース枠材１４に設けた軸受片と別部材の押え板からなり、押え板をねじ止めして軸受片との間で挟持することにより、一対のガイド軸２８，２９がベース枠材１４に締付固定されている。
【００４０】
ピックアップベース２７は、一対のガイド軸２８，２９の軸方向と直交する両外側に突出する第１の軸受部３３と第２の軸受部３４を有している。第１の軸受部３３は、第１のガイド軸２８が摺動可能に挿通される軸受穴を有する前側軸受部３３ａと後側軸受部３３ｂからなっている。前後の軸受部３３ａ，３３ｂは、第１のガイド軸２８の軸方向へ所定の間隔をあけて同一平面上に配置されている。この前後の軸受部３３ａ，３３ｂの間に、送りねじ軸３１のねじ溝に係合する係合部を有するラック部材３５が配置されている。このラック部材３５は、固定ねじ３６によってピックアップベース２７にねじ止めされている。
【００４１】
第２の軸受部３４には、側方に開口するガイド溝が設けられている。このガイド溝に、第２のガイド軸２９が摺動可能に挿通されている。この第２の軸受部３４を貫通する第２のガイド軸２９と、第１の軸受部３３の前後の軸受部３３ａ，３３ｂを貫通する第１のガイド軸２８によって、ピックアップベース２７がスライド可能に支持されている。送りねじ軸３１は、第１のガイド軸２８との間に所定の間隔をあけて略平行に配置されている。送りねじ軸３１は、駆動モータ３２の回転軸となっており、その駆動モータ３２が図示しない取付ブラケットにより、ベース枠材１４に固定されている。また、取付ブラケットには、送りねじ軸３１の先端側が回動自在に支持されている。この取付ブラケットがベース枠材１４にねじ止めされており、これにより、送りねじ軸３１と駆動モータ３２がベース枠材１４に取り付けられている。
【００４２】
ピックアップベース２７には、図示しないフレキシブル配線板の一端が連結されている。このフレキシブル配線板は、ベース枠材１４に保持されている光ピックアップ１６をディスクドライブ装置１０の外部にある図示しない電源側コネクタと電気的に接続するもので、可撓性を有する柔軟性に富んだ配線部材である。フレキシブル配線板は、ピックアップベース２７に取り付けられる第１の接続部と、電源側コネクタに接続される第２の接続部を有している。フレキシブル配線板には多数の配線回路を有する配線回路群が形成されており、各配線回路が第１の接続部から第２の接続部までそれぞれ連続されている。
【００４３】
図６に示すように、ベース枠材１４の上面にはベースカバー３７が取り付けられている。このベースカバー３７は、ベース枠材１４の平面形状に略対応する形状とされている。このベースカバー３７には、ターンテーブル１８と光ピックアップ１６の対物レンズ２６を露出させるための開口部３８が設けられている。開口部３８は、光ピックアップ１６の移動方向に延在されており、光ピックアップ１６がターンテーブル１８から最も離れた位置からターンテーブル１８が露出されたテーブル用開口部２１ｂまで連続する長穴として形成されている。このベースカバー３７が、複数個（本実施例では６個）の固定ねじ３９によってベース枠材１４の上面に締付固定されている。
【００４４】
このような構成を有するディスクドライブ装置１０が、図２〜図５に示すように、ダンパ４１と固定ねじ４２を介して３箇所でベースプレート１１に固定されている。このため、ベース枠材１４には３つの脚体片１４ａが設けられており、各脚体片１４ａにダンパ４１が装着されている。このようにダンパ４１を介してディスクドライブ装置１０をベースプレート１１に固定することにより、振動や衝撃等の外乱が光ピックアップ１６等に伝わり難い構造とすることができる。
【００４５】
ベースプレート１１は、ディスクドライブ装置１０よりも適宜に大きな載置面を有する板状の部材からなり、回動軸４４によって筐体２に水平方向へ回動可能に支持されている。そのため、筐体２には、ディスクドライブ装置１０を回動可能に収納するためのドライブ収納部１２が設けられている。ドライブ収納部１２は、図１及び図２等に示すように、筐体２の右側面部において略中央から後端にかけて水平方向へ延在するように開口されている。このドライブ収納部１２の後端である角部に回動軸４４が配置されており、その回動軸４４の上部と下部が、筐体２の上面部と下面部によって両端支持されている。
【００４６】
このベースプレート１１の、回動軸４４が貫通する角部と対角線方向に位置する角部には、適宜な曲率半径を有する曲面部１１ａが設けられている。このベースプレート１１の曲面部１１ａは、ベースプレート１１を旋回動作させるときに、その角部がドライブ収納部１２の開口部の一方の側縁である前側縁に当接して回動の妨げとなるのを避けるために設けたものである。このドライブ収納部１２の開口部は、図２に示すディスクドライブ装置１０の収納状態では、図８Ａに示すように、開閉蓋４５によって閉じるように構成する。これは、ドライブ収納部１２の開口部から筐体２内に塵や埃等が入り込むのを防止するためである。
【００４７】
この開閉蓋４５は、ターンテーブル１８に光ディスク２０を装着する際には、その載置部１８ｂの載置面よりも下方へ下がるように構成する必要がある。光ディスク２０の装着時、その光ディスク２０が開閉蓋４５に当接するのを防止するためである。この開閉蓋４５は、例えば、ベースプレート１１の前面である側面部１１ｂと重なり合うように配置して設ける。そして、使用者の手動操作により、或いは、ディスクドライブ装置１０の移動動作に連動して自動的に昇降動作できるように構成する。例えば、ベースプレート１１を引き出した後、使用者が手動操作によって開閉蓋４５を引き下げ、その上端縁をディスク載置面よりも低くする。或いは、例えば、ベースプレート１１の回動力を開閉蓋４５に伝達可能な動力伝達機構（例えば、ギア伝達機構、ワイヤ伝達機構、リンク伝達機構等）を設け、ベースプレート１１を引き出す動作に連動させて開閉蓋４５を引き下げるように構成することができる。
【００４８】
このような構成を有するノート型パソコン１のディスクドライブ装置１０は、例えば、図２〜図５及び図８Ａ〜８Ｃに示すようにして使用することができる。図２〜図５は、ディスクドライブ装置１０の状態を平面側から見たものであり、また、図８Ａ〜８Ｃは、そのディスクドライブ装置１０の状態を側面側から見たものである。
【００４９】
即ち、図２は、光ディスクを使用しないとき（又は携帯時）のノート型パソコン１を示している。このときディスクドライブ装置１０は、ダンパ４１を介して固定ねじ４２により３箇所でベースプレート１１に固定されている。このベースプレート１１に搭載された状態でディスクドライブ装置１０が、ノート型パソコン１の筐体２のドライブ収納部１２内に収納されている。このとき、ベースプレート１１は、筐体２に設けた回動軸４４によって回動可能に支持されており、ベースプレート１１の側面部１１ｂを側方へ引き出すことにより、ディスクドライブ装置１０の全体が筐体２の外部に露出されるようになっている。このディスクドライブ装置１０のドライブ収納部１２への収納状態では、図示しないロック機構を設けることにより、ベースプレート１１が不用意に開放できないように構成することが好ましい。このロック機構の解除動作は、例えば、入力操作時のイジェクト命令や、イジェクト釦の操作等によって行うことができる。
【００５０】
光ディスクを使用する場合には、図３に示すように、回動軸４４を回動中心としてベースプレート１１を反時計方向に回動させる。このとき、ベースプレート１１の回転半径が最大となる部分は、回動軸４４が貫通する角部と対角線方向に位置する角部であるが、その角部には曲面部１１ａが設けられている。そのため、最大回転半径を小さくしてドライブ収納部１２の開口部の長さを小さくすることができる。ベースプレート１１は、図４に示すように、略１８０度回動させる。これにより、ベースプレート１１に搭載されているディスクドライブ装置１０の略全体がドライブ収納部１２から側方へ突出される。
【００５１】
筐体２のドライブ収納部１２からディスクドライブ装置１０を完全に引き出したところで、開閉蓋４５の上端縁をターンテーブル１８の載置面より下方へ引き下げる。その後、ターンテーブル１８に光ディスク２０を装着する。この装着後の光ディスク２０の外周縁は、平面視してノート型パソコン１の筐体２と干渉しない位置まで完全に突出される。この際、図５に示すように、ターンテーブル１８に装着された光ディスク２０の全体を完全に覆うことができる保護カバー５０を設けるようにする。この保護カバー５０を用いることにより、光ディスク２０の回転による危険性、及び光ピックアップ１６から放射されるレーザ光に対する安全性を確保することができる。
【００５２】
図５に示す保護カバー５０は、一辺の長さが光ディスク２０の直径よりも長い四角形の板体によって形成されている。この保護カバー５０は、ベースプレート１１の下面に、図示しない固定ねじによって着脱可能に取り付けられている。この保護カバー５０によれば、光ディスク２０の全体が保護カバー５０の一面内に完全に収納されるため、回転される光ディスク２０との接触を防ぐことができる。
【００５３】
なお、保護カバーは、その全体を袋状に形成し、ディスクドライブ装置１０を含む光ディスク２０の全体を覆うことができる構成とすることにより、光ディスク２０の回転による危険性、及び光ピックアップ１６から放射されるレーザ光に対する安全性をより確実なものとすることができる。具体的には、前記保護カバー５０の２枚を所定間隔あけて対向設置し、１面を開口させて他の３面を閉じ合わせ、直方体状の保護カバーを構成する。この立体型保護カバーで、ディスクドライブ装置１０と共に光ディスク２０を覆うようにする。この立体型保護カバーは、前記保護カバー５０と同様に、例えば、固定ねじを用いてベースプレート１１に着脱可能に固定する。
【００５４】
図８Ａ〜８Ｃは、この第１の実施例を側面から表した図である。図８Ａは、ディスクドライブ装置１０が筐体２のドライブ収納部１２内に収納されている状態を示しており、図２に対応している。筐体２のドライブ収納部１２の開口部を塞ぐために、ベースプレート１１の側面部１１ｂに開閉蓋４５が設けられている。開閉蓋４５は、図示しない蓋移動機構によって上下方向へスライド動作可能に構成されている。ディスクドライブ装置１０がドライブ収納部１２に収納されているときには、開閉蓋４５は上方へ押し上げられ、開口部を閉じた状態にある。
【００５５】
図８Ｂは、ディスクドライブ装置１０を筐体２のドライブ収納部１２から引き出した状態を示しており、図３若しくは図４に対応している。このディスクドライブ装置１０をドライブ収納部１２から引き出した直後の状態では、開閉蓋４５は上方へ押し上げられており、その上端縁は、ターンテーブル１８の載置面より高い位置にある。そのため、光ディスク２０をターンテーブル１８に装着する前は、開閉蓋４５を下方にスライドさせ、光ディスク２０の情報記録面から高さ方向に退避させる必要がある。この開閉蓋４５を退避させた後、光ディスク２０をターンテーブル１８に装着する。
【００５６】
この光ディスク２０をターンテーブル１８に装着した状態が、図８Ｃに示す状態である。これにより、光ディスク２０に対する光ピックアップ１６による情報信号の記録（書込み）及び／又は再生（読出し）が可能となる。しかし、この記録/再生時には、上述した危険性を回避し安全性を確保するために、前記保護カバー５０等で光ディスク２０を覆うようにする。この実施例では、保護カバー５０は、筐体２とは別個独立に形成されており、使用に際してベースプレート１１に取り付けられ、光ディスク２０の周囲を覆うように構成されている。
【００５７】
図９Ａ〜９Ｃは、ノート型パソコン１に係るディスクドライブ装置１０の第２の実施例を示すものである。このディスクドライブ装置１０Ａは、前述したディスクドライブ装置１０の収納時における薄型化を図ったものである。即ち、ディスクドライブ装置１０Ａは、ベース枠材１４Ａの、スピンドルモータ１９と反対側に枢軸５４を設け、この枢軸５４を回動中心としてベース枠材１４Ａを上下方向へ所定の角度範囲内で回動可能とすることによって構成されている。
【００５８】
図９Ａは、ディスクドライブ装置１０Ａが筐体２のドライブ収納部１２内に収納されている状態を示している。ベース枠材１４Ａは、図８Ａに示した実施例において、ベース枠材１４と同じ高さ位置において水平状態に設定されているが、両者が異なるところは、ベース枠材１４Ａには枢軸５４が設けられている点である。枢軸５４は、図示しないが、ベースプレート１１から延伸された曲げ板等に、ピンや段付きねじ等を取り付けることによって構成される。ベース枠材１４Ａの、枢軸５４と反対側の先端には、水平方向の外側に突出するガイドピン５５が設けられている。
【００５９】
ガイドピン５５は、ベースプレート１１の側面部１１ｂに設けたガイド溝５６に摺動可能に係合されている。ガイド溝５６は上下方向に延在されており、このガイド溝５６に沿ってガイドピン５５が上下方向へ移動される。これにより、ガイドピン５５をガイド溝５６の下端部まで移動させると、ベース枠材１４Ａは、図９Ａ及び９Ｂに示すように、スピンドルモータ１９側を下にした前傾した状態となる。これに対して、ガイドピン５５をガイド溝５６の上端部まで移動させると、ベース枠材１４Ａは、図９Ｃに示すように、スピンドルモータ１９を略水平状態に保持した水平状態となる。このように、ベース枠材１４Ａに枢軸５４を設け、スピンドルモータ１９のターンテーブル１８であるディスク装着部を下方に待機させることにより、収納時におけるディスクドライブ装置１０Ａ全体の厚みを薄くすることができる。
【００６０】
図９Ｂは、ベースプレート１１を水平移動（旋回移動）させてノート型パソコン１の筐体２からディスクドライブ装置１０Ａを引き出した状態を示している。この後、スライドが可能な開閉蓋４５を、下方に押し下げると同時に、ガイドピン５５を上方に押し上げる。これにより、スライド可能な開閉蓋４５が下方へ移動する一方、ガイドピン５５が上方へ移動する。その結果、ベース枠材１４Ａとターンテーブル１８が共に略水平な姿勢に固定される。これにより、光ディスク２０がターンテーブル１８に装着できるようになる。
【００６１】
図９Ｃは、光ディスク２０をターンテーブル１８に装着した状態を示している。このとき、光ディスク２０の外径は、ノート型パソコン１の筐体２と側面及び平面の何れから見ても干渉しない位置にあり、この状態で光ディスク２０が回転駆動される。この実施例においても前述した実施例と同様に、記録/再生時には前述した保護カバー５０で覆うようにする。
【００６２】
図１０Ａ〜１０Ｃは、ノート型パソコン１に係るディスクドライブ装置１０の第３の実施例を示すものである。このディスクドライブ装置１０Ｂは、前述したディスクドライブ装置１０Ａと同様に、ディスクドライブ装置１０の収納時における薄型化を図ったものである。即ち、ディスクドライブ装置１０Ｂは、ベース枠材１４に対してスピンドルモータ１９を上下方向へ移動可能に構成している。そして、使用状態によってスピンドルモータ１９を上下方向に移動させ、使用の有無によってターンテーブル１８の高さ位置が調整可能に構成されている。この第３の実施例に係るディスクドライブ装置１０Ｂによれば、前述した第２の実施例に係るディスクドライブ装置１０Ａよりも更に薄型化を図ることができる。
【００６３】
図１０Ａは、ディスクドライブ装置１０Ｂが筐体２のドライブ収納部１２内に収納されている状態を示している。ディスクドライブ装置１０Ｂのベース枠材１４は、図示しない保持機構によって水平姿勢のままの状態で支持されている。このベース枠材１４に対してスピンドルモータ１９が、上下方向へ移動可能に支持されている。ベース枠材１４は、ベースプレート１１に立設された複数本の支柱５７によって上下方向へ移動可能とされている。各支柱５７の上部には、ストッパリング５８が設けられている。更に、各支柱５７には円錐コイルばね５９が装着されており、各円錐コイルばね５９の下端はベースプレート１１に着座され、その上端は、スピンドルモータ１９が搭載された支持プレート２２に着座されている。
【００６４】
これら円錐コイルばね（この実施例では３個）５９のばね力により、スピンドルモータ１９が上方へ付勢されている。このスピンドルモータ１９の上方への移動が、３本の支柱５７が貫通する支持プレート２２の移動をストッパリング５８で阻止することによって防止している。更に、ベースプレート１１には、図示しないが、スピンドルモータ１９をベース枠材１４から引っ込める方向である下部に保持する保持機構が設けられている。この保持機構による保持状態では、スピンドルモータ１９は、円錐コイルばね５９のばね力に抗して下方で保持されている。
【００６５】
この保持状態では、スピンドルモータ１９と一体のターンテーブル１８は、ベース枠材１４の上面から僅かに突出する位置まで下げられる。そのため、収納時のディスクドライブ装置１０Ｂは、非常に薄くすることができる。また、スピンドルモータ１９を更に薄くすることができれば、ディスクドライブ装置１０Ｂの上面からも突出することなく、ベース枠材１４の内部に収めることが可能である。なお、円錐コイルばね５９を使う目的は、ばねが縮んだときに巻き線同士が高さ方向に積まれることがないから、高さ方向のスペースを有効に利用することができ、その結果として、円錐コイルばね５９の配置されるスペースも薄く形成できるためである。
【００６６】
図１０Ｂは、ベースプレート１１を水平移動（旋回移動）させ、ノート型パソコン１の筐体２からディスクドライブ装置１０Ｂを引き出す途中の状態を示している。この後、ベースプレート１１は、ドライブ収納部１２から完全に引き出される。その後、スライド可能な開閉蓋４５を下げると共に、図示しない保持機構を動作させ、スピンドルモータ１９の支持プレート２２の固定を解除する。その結果、３つの円錐コイルばね５９の付勢力により、スピンドルモータ１９が上方に移動する。この上方に移動したスピンドルモータ１９は、３本の支柱５７に予めカシメ固定されている３つのストッパリング５８に支持フレーム２２が当接することによって高さ方向の位置決めが完了する。
【００６７】
図１０Ｃは、スピンドルモータ１９が回転可能な位置に固定された状態を示している。この状態で、光ディスク２０がターンテーブル１８にチャッキングされ、光ピックアップ１６による情報信号の記録/再生が可能となる。このとき、光ディスク２０の外径は、ノート型パソコン１の筐体２と平面視して干渉しない位置にある。また、記録/再生時には、前記実施例と同様に、前述した保護カバー５０等で覆う必要がある。
【００６８】
上述した実施例では、保護カバーを別途用意し、その保護カバーで動作時の光ディスクの周囲を覆う場合について説明した。そこで、以下は、予め保護カバーがノート型パソコンに搭載されている実施例について説明する。
【００６９】
図１１〜図１７は、ノート型パソコン１に係るディスクカバーの第２の実施例を示すものである。この実施例のノート型パソコン１は、前述したものと同様であるため、その説明は省略し、保護カバー６０について説明する。この実施例で示す保護カバー６０は、ディスクドライブ装置１０が搭載されたベースプレート１１とは別個独立に移動できるように構成されている。この保護カバー６０は、図１６及び図１７に示すように、１枚のカバーベース６１と、このカバーベース６１に積層状態で組み立てられる６枚の扇形カバー６２〜６７とによって構成されている。
【００７０】
カバーベース６１は、ディスクドライブ装置１０を跨ぐことができる鞍状の薄い板材からなっている。更に、カバーベース６１は、図示しないガイド部材にガイドされて、図１２Ａ，１２Ｂに示すようにディスクドライブ装置１０と重なり合う位置と、図１３Ａ，１３Ｂに示すようにディスクドライブ装置１０から所定距離だけ離れた位置とを選択的に取ることができるようになっている。このガイド部材としては、ベースプレート１１の移動をガイドする後述する一対のガイドレールを適用することができる。しかしながら、そのガイドレールとは別個独立に同様のガイドレールを設けてもよく、また、そのレールとは異なる形式のガイド部材であってもよいことは勿論である。
【００７１】
カバーベース６１は、図１１及び図１７に示すように、ディスクドライブ装置１０の上面の一部を覆う上面部６１ａと、ディスクドライブ装置１０の幅方向両側の側面部の各一部を覆う第１側面部６１ｂ及び第２側面部６１ｃを有している。第１側面部６１ｂと第２側面部６１ｃは、上面部６１ａの両側に連続する部分をそれぞれ９０度折り曲げて対向させるように形成されている。上面部６１ａの第１側面部６１ｂ側には、扇形に突出したステージ６１ｄが設けられている。また、上面部６１ａの第２側面部６１ｃ側は、適当な角度によって斜めに切り欠かれている。この切欠き部は、ディスクドライブ装置１０の上面を露出し易くするために設けたものである。
【００７２】
６枚の扇形カバー６２〜６７は、扇形をなす平面部６２ａ〜６７ａと、その平面部６２ａ〜６７ａの外周縁に連続して一方の平面側に立ち上がるように形成された側面部６２ｂ〜６７ｂを有している。これら６枚の扇形カバー６２〜６７は、略同一の大きさ及び形状を有しており、図１６に示すように、６枚を重ね合わせて一塊とできるようになっている。この６枚の重ね合わされた扇形カバー６２〜６７が、カバーベース６１のステージ６１ｄに重ね合わされて組み立てられている。この重ね合わせた状態において、６枚の扇形カバー６２〜６７とカバーベース６１には、互いに同心となるように孔６８がそれぞれ設けられている。その同心上に重ね合わされた孔６８には段付ねじ６９の軸部が挿通されており、この段付ねじ６９を回動中心として扇形カバー６２〜６７が、互いに相対的に回動可能とされている。
【００７３】
また、上２番目の扇形カバー６３から最下段の扇形カバー６７までの５枚の扇形カバー６３〜６７の平面部６３ａ〜６７ａの一方の側縁と、これに対応するカバーベース６１のステージ６１ｄの側縁には、側面部６２ｂ〜６６ｂと反対側に突出する第２係合爪７２がそれぞれ設けられている。そして、６枚の扇形カバー６２〜６７の各平面部６２ａ〜６７ａの他方の側縁には、側面部６２ｂ〜６７ｂと同方向に突出する第１係合爪７１がそれぞれ設けられている。これら第１係合爪７１及び第２係合爪７２は、最上段の扇形カバー６２の回動に基づいて２段目以下の扇形カバー６３〜６７を連動させて連れ回すために設けたものである。
【００７４】
これら第１係合爪７１及び第２係合爪７２を設けたことにより、最上段の扇形カバー６２を回動するだけで２段目以下の扇形カバー６３〜６７を連れ回して展開動作を行うことができる。６枚の扇形カバー６２〜６７を元に戻す収納動作は、最上段の扇形カバー６２から逆方向に回動し、その下の扇形カバーと一致したところでその扇形カバーを含めて同方向に更に回動する。これを続けてステージ６１ｄまで戻すことにより、図１６に示すように、６枚の扇形カバー６２〜６７を当初の収納位置に収めることができる。
【００７５】
このような構成を有する保護カバー６０は、例えば、次のようにして用いることができる。図１１は、前述した第１の実施例の図２の状態に対応している。そして、図１２Ａは図３の状態に対応し、図１２Ｂは図４の状態に対応している。図１３Ａは、ターンテーブル１８に光ディスク２０を容易に装着できるようにするため、保護カバー６０をターンテーブル１８から離れる方向へ移動させる工程を示したものである。この保護カバー６０をターンテーブル１８から離した状態において、図１３Ｂに示すように、ターンテーブル１８に光ディスク２０を装着する。
【００７６】
この実施例は、保護カバー６０を小型に折り畳むことができるように構成すると共に、その保護カバー６０を、ノート型パソコン１に搭載したものである。保護カバー６０は、ベースプレート１１に搭載されて一緒に移動可能となっているが、同時に、ベースプレート１１に対しても独立に移動できるように構成されている。
【００７７】
図１１に示すように、筐体２のドライブ収納部１２にディスクドライブ装置１０が収納されている状態では、保護カバー６０は、ディスクドライブ装置１０の略後ろ半分を覆うように配置されている。この状態から、回動軸４４を回動中心として図中反時計方向にベースプレート１１を旋回させ、ドライブ収納部１２からベースプレート１１を引き出す。これにより、ベースプレート１１に載置されたディスクドライブ装置１０が、図１２Ａに示す状態を経て、図１２Ｂに示す状態まで略１８０度回動変位される。
【００７８】
次に、図１３Ａに示すように、保護カバー６０のみを図示しないガイド部材を介してドライブ収納部１２側に移動し、ターンテーブル１８の周囲を大きく開放させる。これは、ターンテーブル１８に光ディスク２０を容易に装着できるようにするために行う工程である。従って、保護カバー６０を移動させなくてもターンテーブル１８に光ディスク２０を装着できる場合には、この図１３Ａ及び次の図１３Ｂに示す保護カバー６０を移動させる工程は省略することもできる。しかし、ここでは、図１３Ａに示す工程と、次の図１３Ｂに示す工程を省略しない場合について説明する。
【００７９】
図１３Ａに示すように、保護カバー６０をドライブ収納部１２側に移動させると、ディスク装着部であるターンテーブル１８の周囲が大きく開放される。そこで、図１３Ｂに示すように、ターンテーブル１８に光ディスク２０を装着する。ターンテーブル１８は、これ自体が係止爪２４を有しており、その係止爪２４によって光ディスク２０をロックできる構成となっている。そのため、光ディスク２０の中央穴をターンテーブル１８の嵌合部１８ａに嵌合するだけで光ディスク２０を確実に保持することができる。また、保護カバー６０のターンテーブル１８に最も近い部分においても、光ディスク２０の外周縁と重なることなく隙間ができているため、保護カバー６０と接触することなく、光ディスク２０をターンテーブル１８に容易に嵌合させることができる。このとき、スライド可能な開閉蓋４５は、前述したように下方に移動させ、光ディスク２０から高さ方向に所定の間隔を退避させておくようにする。
【００８０】
次に、図１４Ａに示すように、保護カバー６０を移動させて、ディスクドライブ装置１０と重なり合う元の位置に戻す。即ち、保護カバー６０は、段付ねじ６９が扇形カバー６２〜６７の回動中心となるため、その段付ねじ６９の位置がターンテーブル１８の回動中心と略重なり合う位置まで移動させる。この状態において、保護カバー６０の扇形カバー６２〜６７を最外周に位置する扇形カバー６２から順に開き、６枚の扇形カバー６２〜６７で光ディスク２０の全体を覆うようにする。図１４Ａは、保護カバー６０の最も外側に位置する扇形カバー６２を展開した状態を示し、図１４Ｂは、外側から３番目までの扇形カバー６２〜６４を展開した状態を示している。
【００８１】
全ての扇形カバー６２〜６７を開くことにより、図１５に示す状態となる。この場合には、保護カバー６０により、ディスクドライブ装置１０を含むベースプレート１１の全てが覆われる。この保護カバー６０により、記録/再生時における上述した危険性を回避することができ、安全性を確保して情報信号の記録や再生を行うことができる。
【００８２】
図１８Ａ〜１８Ｃは、保護カバー６０を備えたノート型パソコン１の要部を側面から表した図である。図１８Ａは、ディスクドライブ装置１０が筐体２のドライブ収納部１２内に収納されている状態を示しており、図１１に対応している。筐体２のドライブ収納部１２の開口部を塞ぐために、ベースプレート１１の側面部１１ｂに開閉蓋４５が設けられている。開閉蓋４５は、図示しない蓋移動機構によって上下方向へスライド動作可能に構成されている。ディスクドライブ装置１０がドライブ収納部１２に収納されているときには、開閉蓋４５は上方へ押し上げられ、開口部を閉じた状態になる。
【００８３】
図１８Ｂは、ディスクドライブ装置１０を筐体２のドライブ収納部１２から引き出した状態を示しており、図１３Ａに対応している。このディスクドライブ装置１０をドライブ収納部１２から引き出した状態では、開閉蓋４５は上方へ押し上げられており、その上端縁は、ターンテーブル１８の載置面より高い位置にある。そのため、光ディスク２０をターンテーブル１８に装着する前は、開閉蓋４５を下方にスライドさせ、光ディスク２０の情報記録面より低い位置に退避させる必要がある。この開閉蓋４５を退避させた後、光ディスク２０をターンテーブル１８に装着する。
【００８４】
図１８Ｃは、光ディスク２０をターンテーブル１８に装着した後、６枚の扇形カバー６２〜６７を展開させる状態を示しており、図１４Ａ及び図１４Ｂに対応している。これにより、光ディスク２０の上面及び側面の全体が６枚の扇形カバー６２〜６７によって覆われ、光ピックアップ１６による情報信号の記録（書込み）及び／又は再生（読出し）が可能となる。この記録/再生時には、光ディスク２０の上面及び側面の全体が６枚の扇形カバー６２〜６７によって覆われているため、光ピックアップ１６から発射されるレーザ光による危険性を回避することができ、安全性を確保して情報信号の記録や再生を実行することができる。
【００８５】
図１９〜図２２は、本発明のディスク記録及び／又は再生装置の第２の実施の例を示すものである。この第２の実施例に係るノート型パソコン１Ａは、ディスクドライブ装置１０が搭載されたベースプレート１１を２本のガイドレール７４，７５を用いてドライブ収納部１２に対して出し入れ可能に構成したものである。この第２の実施例において前述した実施例と異なるところは、ベースプレート１１を移動する機構だけであって、ディスクドライブ装置１０及び保護カバー６０の構成及び作用は同一である。そのため、ここでは、２本のガイドレール７４，７５についての構成とその作用であるベースプレート１１及び保護カバー６０との動作の関連性について説明し、その他の重複した説明は省略する。
【００８６】
図２２に示すように、ノート型パソコン１Ａは、筐体２の右側面部の略中央部にドライブ収納部１２が設けられている。このドライブ収納部１２に、ディスクドライブ装置１０を搭載したベースプレート１１が、２本のガイドレール７４，７５にガイドされて出し入れ可能に構成されている。このドライブ収納部１２の開口部は、開閉蓋４５Ａによって開閉可能とされている。開閉蓋４５Ａは、筐体２の右側面部に前後方向へスライド可能に支持されている。
【００８７】
筐体２の内部は、大きく分けてドライブ収納部１２と、メイン基板が収納されるメイン基板収納部７６と、ハードディスク装置が収納されるハードディスク収納部７７と、電源であるバッテリーが収納されるバッテリー収納部７８に分けられている。ドライブ収納部１２は、ディスクドライブ装置１０が搭載され且つ保護カバー６０が装着されたベースプレート１１のベース組立体の形状と対応する形状を備えている。このバッテリー収納部７６の両側に、２本のガイドレール７４，７５が所定間隔をあけて平行に配置されている。２本のガイドレール７４，７５のうち、第１のガイドレール７４は、ベースプレート１１の形状に対応させて第２のガイドレール７５よりも長く設定されている。
【００８８】
図１９は、ディスクドライブ装置１０の収納（移動前）状態を説明する平面図である。この状態では、ベース組立体の全体がドライブ収納部１２内に収められている。図２０Ａは、保護カバー６０を初期位置に残して、ディスクドライブ装置１０のみを前進させ、その大部分をドライブ収納部１２から突出させた状態の説明図である。この位置において、開閉蓋４５Ａを所定の高さまで下げた後、光ディスク２０をターンテーブル１８に装着する。次に、図２０Ｂに示すように、保護カバー６０を所定位置まで引き出す。これにより、カバーベース６１によって光ディスク２０の１／３程度が覆われる。
【００８９】
次に、前述したと同様にして保護カバー６０を展開させる。即ち、図２１Ａにおいて、反時計方向に６枚の扇形カバー６２〜６７を順じ引き出す。このとき、最外周に位置する１番面の扇形カバー６２を反時計方向に所定角度（扇形カバーの１枚分）回動させると、その扇形カバー６２に設けた第１係合爪７２が２番目の扇形カバー６３に設けた第２係合爪７２に係合される。これにより、２番目の扇形カバー６３が１番面の扇形カバー６２によって所定角度連れ回され、扇形カバーの１枚分が展開される。更に、反時計方向に所定角度（扇形カバーの１枚分）回動させると、２番目の扇形カバー６３に設けた第１係合爪７２が３番目の扇形カバー６４に設けた第２係合爪７２に係合される。これにより、３番目の扇形カバー６４が２番面の扇形カバー６３によって所定角度連れ回され、更に扇形カバーの１枚分が展開される。
【００９０】
図２１Ａは、３枚の扇形カバー６２〜６４が開かれて所定角度を展開された状態を示している。この展開動作を繰り返すことにより、保護カバー６０が完全に開かれてカバーベース６１の一方の開口を完全に閉じることができる。このカバーベース６１の一方の開口を完全に閉じた状態が、６枚の扇形カバー６２〜６７が全て所定角度を展開された状態を示している。図２１Ｂは、６枚の扇形カバー６２〜６７が全て所定角度展開されて光ディスク２０を覆った状態を示している。このとき、保護カバー６０のカバーベース６１と６枚の扇形カバー６２〜６７により、光ディスク２０の上面（情報記録面と反対側の面）と側面が覆われている。
【００９１】
この際、光ディスク２０の外径は、ノート型パソコン１Ａの筐体２と平面から見て干渉しない位置にある。なお、６枚の扇形カバー６２〜６７で光ディスク２０を覆った後は、不用意に保護カバー６０が開けられないように、図示しないロック機構を設ける構成とする。
【００９２】
以上説明した実施例は、光ディスク２０を使用する際に、ノート型パソコン１Ａの筐体２から光ディスク２０の外径が完全に突出して使用される実施例である。このような実施例のノート型パソコン１Ａによれば、ディスクドライブ装置１０収納時、平面方向における小型化を図ることができる。更に、ディスクドライブ装置１０の収納方法によっては、筐体２の薄型化も実現することができる。
【００９３】
しかしながら、保護カバー６０を適用する場合には、複数の扇形カバーが積層される構成であるため、薄型化を図ることが困難になる。そこで、次には、光ディスクの外径の一部だけを筐体２から外へ突出させる実施例について説明する。この場合には、保護カバーの構成を比較的シンプルなものとすることができ、ノート型パソコンの小型化に貢献することができる。
【００９４】
図２３〜図２６は、ノート型パソコン１に係るディスクカバーの第３の実施例を示すものである。この実施例のノート型パソコン１Ｂに係る筐体及びディスクドライブ装置１０等は前述したものと同様であるため、その説明は省略し、保護カバー８０について説明する。この実施例で示す保護カバー８０は、筐体２に回動自在に取り付けられている。この保護カバー８０は、図２３等に示すように、１枚の大型の保護カバー８０によって構成されている。
【００９５】
図２３は、１枚の大型の保護カバー８０をノート型パソコン１Ｂの筐体２に回動自在に取り付けた状態を説明する図である。保護カバー８０は、ディスクドライブ装置１０の上面の一部を覆う上面部８０ａと、この上面部８０ａの外周縁に連続して一面側に立ち上げるように設けた側面部８０ｂと、この側面部８０ｂの下端縁に連続して内側へ折り曲げるように形成されたフランジ状の下面部８０ｃを有している。上面部８０ａの扇形の中心部には挿通孔８１が設けられており、この挿通孔８１に回動自在に嵌合される図示しない段付ねじによって保護カバー８０が筐体２に回動自在に取り付けられている。
【００９６】
また、筐体２の右側面部の略中央部にドライブ収納部１２が設けられており、その開口部から２本のガイドレール７４，７５にガイドされてディスクドライブ装置１０が出し入れ可能に構成されている。ドライブ収納部１２の開口部は、筐体２の右側面部にスライド可能に取り付けられた開閉蓋４５Ａによって開閉可能とされている。
【００９７】
図２４Ａは、ノート型パソコン１Ｂの筐体２からディスクドライブ装置１０を載せたベースプレート１１を引き出した状態を示している。ベースプレート１１を引き出す際には、次の手順で行うようにする。まず、ノート型パソコン１Ｂの側面に配置した開閉蓋４５Ａを、図２６等において前方（又は上方及び下方若しくは後方）に移動させる。これにより、ドライブ収納部１２の開口部が開放され、筐体２内に収納されている保護カバー８０を、その開口部から引き出すことが可能になる。
【００９８】
次に、ディスクドライブ装置１０を載せたベースプレート１１を所定位置（光ディスク２０が装着可能な位置）まで引き出す。これにより、ディスクドライブ装置１０の略全体がドライブ収納部１２から引き出されるため、ターンテーブル１８に対して光ディスク２０を簡単且つ確実に装着することができる。その後、図２４Ｂに示すように、ターンテーブル１８に光ディスク２０が装着されたディスクドライブ装置１０を、ドライブ収納部１２の元の収納位置まで戻す。これにより、光ディスク２０の外径の一部が、ノート型パソコン１Ｂの筐体２の側面から僅かに突出される。
【００９９】
図２５Ａは、保護カバー８０で光ディスク２０の外側を覆う途中の状態を示している。保護カバー８０は、筐体２に固定された図示しない段付ねじを回動中心として、時計回りに回転し、光ディスク２０のうち、筐体２から突出した部分を覆っていく。更に、保護カバー８０を時計方向に回動させ、保護カバー８０でドライブ収納部１２の開口部を閉鎖する。この状態が、図２５Ｂに示す状態である。この保護カバー８０でドライブ収納部１２の開口部を閉じた状態において、光ディスク２０の記録/再生を行うことができる。
【０１００】
このとき、保護カバー８０は、側面部８０ｂと下面部８０ｃによって、ノート型パソコン１Ｂの筐体２から露出されていた光ディスク２０の一部を完全に覆っている。そして、開閉蓋４５Ａを、保護カバー８０に当接するまで移動し、ドライブ収納部１２の開口部を閉じることにより、装填作業が完了する。その後の記録/再生時には、不用意に保護カバー８０が開放されないようにするため、図示しないロック機構によって保護カバー８０をロックする。
【０１０１】
図２３〜図２６に示した実施例では、保護カバー８０を１枚（単枚）で形成し、その旋回動作によってドライブ収納部１２の開口部を閉じる構成とした。そのため、ディスクドライブ装置１０は、筐体２の側面から奥へ離れた位置に配置する必要がある。その結果、図中ハッチングで示したデッドスペースＤＳを生じることになり、携帯時のノート型パソコンの小型化に不利となる。このデッドスペースＤＳをできるだけ小さくするためには、保護カバー８０を小型化する必要があるが、そうすると、保護カバー８０では光ディスク２０を完全に覆うことができなくなる。これを対策したものが、次に説明する実施例である。
【０１０２】
図２７〜図３３は、ノート型パソコン１に係るディスクカバーの第４の実施例を示すものである。この実施例のノート型パソコン１Ｃに係る筐体及びディスクドライブ装置１０等は前述したものと同様であるため、その説明は省略し、保護カバー９０について説明する。この実施例で示す保護カバー９０は、筐体２に回動自在に取り付けられている。この保護カバー９０は、図２７等に示すように、２枚の扇形カバー９１，９２によって構成されている。この実施例では、保護カバー９０を２枚の扇形カバー９１，９２で構成したため、その２枚の扇形カバー９１，９２を、ドライブ収納部１２の開口部に近い位置に配置することが可能となる。その結果、前述したデッドスペースＤＳを小さくして、携帯時におけるノート型パソコン１Ｃの小型化を図ることができる。
【０１０３】
保護カバー９０を構成する２枚の扇形カバー９１，９２は、図３２及び図３３に示すような構成を有している。第１の扇形カバー９１は、ディスクドライブ装置１０の上面の一部を覆う上面部９１ａと、この上面部９１ａの外周縁に連続して一面側に立ち上げるように設けた側面部９１ｂと、この側面部９１ｂの下端縁に連続して内側へ折り曲げるように設けたフランジ状の下面部９１ｃを有している。上面部９１ａの扇形の中心部には挿通孔９３ａが設けられている。
【０１０４】
第２の扇形カバー９２は、ディスクドライブ装置１０の上面の一部を覆う上面部９２ａと、この上面部９２ａの外周縁に連続して一面側に立ち上げるように設けた側面部９２ｂと、この側面部９２ｂの下端縁に連続して内側へ折り曲げるように設けたフランジ状の下面部９２ｃを有している。上面部９２ａの扇形の中心部には挿通孔９３ｂが設けられている。第２の扇形カバー９２は、第１の扇形カバー９１の内側に嵌り込む大きさとされていている。そして、第１の扇形カバー９１の扇形をなす上面部９１ａの開口角度は、第２の扇形カバー９２の扇形をなす上面部９２ａの開口角度よりも大きく形成されている。
【０１０５】
更に、第１の扇形カバー９１の側面部９１ｂの一端には、第２の扇形カバー９２を引き出し方向に連れ回すための外側第１係合爪９４ａが設けられている。そして、第１の扇形カバー９１の上面部９１ａの一辺には、第２の扇形カバー９２を押し戻す方向に連れ回すための外側第２係合爪９４ｂが設けられている。また、第２の扇形カバー９２の側面部９２ｂの一端には、第２の扇形カバー９２の外側第１係合爪９４ａに係合される内側係合爪９５ａと、第１の扇形カバー９１の回動位置を制限するストッパ爪９５ｂが設けられている。第１の扇形カバー９１の回動時、外側第１係合爪９４ａが内側係合爪９５ａに係合されることにより、第２の扇形カバー９２が第１の扇形カバー９１によって所定量だけ連れ回される。そして、ストッパ爪９５ｂが筐体２のストッパ面に当接することにより、第１の扇形カバー９１の回動が制限されるようになっている。
【０１０６】
図２７は、ディスクドライブ装置１０を載せたベースプレート１１がドライブ収納部１２に収納されている状態を示している。ドライブ収納部１２の開口部近傍の内側には、２枚（複数）の扇形カバー９１，９２からなる保護カバー９０が配置されている。２枚の扇形カバー９１，９２は、図３１に拡大して示すように、段付ねじ６９によって筐体の内面に回動自在に支持されている。この実施例では、保護カバー９０を２枚の扇形カバー９１，９２で形成したことにより、ディスクドライブ装置１０の側面に近い位置に保護カバー９０を配置することができた。これにより、図２７中のハッチングで示したデッドスペースＤＴを、前述した第３の実施例に比べて小さくすることができ、携帯時のノート型パソコン１Ｃの小型化に寄与することが可能になった。
【０１０７】
図２８Ａは、筐体２のドライブ収納部１２からディスクドライブ装置１０を載せたベースプレート１１を引き出した状態を示している。この図２８Ａの状態は、図３０Ａに対応している。ここで、ベースプレート１１を引き出す場合は、次のような手順で行うことができる。まず、ノート型パソコン１Ｃの側面に設けた開閉蓋４５Ａを図の前方（又は上方及び下方もしくは後方）に移動させる。これにより、筐体２内に配置された保護カバー９０の引き出し動作が可能になる。保護カバー９０は、段付ねじによって筐体２の内面に固定されている。このとき、保護カバー９０の回転中心となる挿入孔９３ａ，９３ｂの位置は、ドライブ収納部１２に収納されたディスクドライブ装置１０のターンテーブル１８の回転中心と平面から見て一致する。
【０１０８】
次に、ディスクドライブ装置１０を載せたベースプレート１１をディスク装着可能な位置まで水平に引き出す。そして、スライド可能な開閉蓋４５Ａを前方に引き出し（或いは下方に押し下げ）た後、ターンテーブル１８に光ディスク２０を装着する。次に、図２８Ｂに示すように、ベースプレート１１を元の収納位置まで戻す。これにより、光ディスク２０の外径の一部が、ノート型パソコン１Ｃの筐体２の側面から僅かに突出した状態となる。この光ディスク２０の突出量は、前述した第４の実施例の場合よりも大きくなっている。
【０１０９】
図２９Ａは、保護カバー９０によって光ディスク２０を覆う途中の状態を示している。保護カバー９０の２枚の扇形カバー９１，９２は、挿通孔９３ａ，９３ｂを回転中心として、時計回りに回転し、筐体２の側面から一部が突出している光ディスク２０の突出部を覆っていく。このとき、第１扇形カバー９１には、回転方向の後端に僅かな折り曲げである外側第１係合爪９４ａが形成されている。そのため、外側第１係合爪９４ａが、第２扇形カバー９２の回転方向先端に設けた同じく僅かな折り曲げの内側係合爪９５ａに当接するため、第２扇形カバー９２が第１扇形カバー９１に連れ回されて同方向に回動する。
【０１１０】
図２９Ｂは、保護カバー９０の回転動作が終了し、光ディスク２０の記録/再生が行われている状態を示している。保護カバー９０を所定位置まで移動させると、筐体２の側面から一部が突出している光ディスク２０の突出部が第１扇形カバー９１と第２扇形カバー９２によって完全に覆われる。これにより、光ディスク２０の装填作業が完了する。この場合、記録/再生中は、前述したように、不用意な保護カバーの開放を防止するために、ノート型パソコン１Ｃに搭載されているロック機構により、保護カバー９０が開放できないようにする。
【０１１１】
図３０Ａ〜３０Ｃ及び図３１は、前記第４の実施例を側面から断面した説明図である。図３０Ａは図２７に対応した側面図であり、ディスクドライブ装置１０は筐体２のドライブ収納部１２に収納されている。図３０Ｂは、図２８Ｂに対応した側面図であり、ディスクドライブ装置１０は筐体２の側面から引き出されている。そして、スライド可能な開閉蓋４５Ａを前方に移動させた（或いは下方に下げた）後、光ディスク２０をターンテーブル１８に装着した状態を示している。また、図３０Ｃは、図２９Ｂに対応する側面図である。光ディスク２０を装着したディスクドライブ装置１０は、再び筐体２のドライブ収納部１２内に収納されている。
【０１１２】
この図２９Ｂ及び図３０Ｃに示す状態において、光ディスク２０の記録/再生を行うことができる。このとき、図３４に示すように、ノート型パソコン１Ｃの筐体２から突出している光ディスク２０の一部は、保護カバー９０によって側面及び上下面ともに覆われている。そのため、光ディスク２０の記録/再生を安全且つ確実に実行することができる。光ディスク２０を収納している筐体２の側面には保護カバー９０が突出しており、この保護カバー９０によって光ディスク２０の外径及び、上下面が覆われている。光ディスク２０を取り出した後、保護カバー９０は、回転動作してドライブ収納部１２の内部に収納される。
【０１１３】
図３５Ａ，３５Ｂ及び図３６は、保護カバー９０の支持構造の他の実施例を示すものである。図２７〜図３４に示した実施例では、保護カバー９０は、ノート型パソコン１Ｃの筐体２の内面に段付ねじ６９を用いて回転可能に固定していた。この実施例では、２枚の扇形カバー９１，９２を、これらとは別の支持部材９６で回動自在に支持する構成としたものである。この支持部材９６を用いて２枚の扇形カバー９１，９２を支持することにより、ノート型パソコン１Ｃへの組み込みを容易に行うことができる。
【０１１４】
図３５Ａ，３５Ｂは、２枚の扇形カバー９１，９２を支持するための支持部材である支持プレート９６を設け、この支持プレート９６で２枚の扇形カバー９１，９２の回動中心となる内側端部を回動自在に支持する構成としたものである。支持プレート９６は、２枚の扇形カバー９１，９２と同様に、断面形状がコの字状に形成された薄い板状の部材からなり、その対向する２面の対応する位置に、それぞれ適宜な大きさに開口された貫通穴が設けられている。これらの貫通穴を用いて第１の回動部９７ａと第２の回動部９７ｂが設けられている。
【０１１５】
第１扇形カバー９１の上面部９１ａには、バーリング加工によって形成される筒状部９８ａと、この筒状部９８ａの先端部を折り返すことによって形成された折り返し部９８ｂとを有している。この筒状部９８ａが、第２扇形カバー９２の上面部９２ａに設けた挿通孔９３ｂと支持プレート９６に設けた貫通穴とに貫通されている。そして、折り返し部９８ｂを設けることにより、２つの上面部９１ａ，９２ａの自由な回動を確保しつつ、その筒状部９８ａからの抜け出しを防止している。
【０１１６】
また、第１扇形カバー９１の下面部９１ｃには、バーリング加工によって形成される筒状部９９ａと、この筒状部９９ａの先端部を折り返すことによって形成された折り返し部９９ｂとを有している。この筒状部９９ａが、第２扇形カバー９２の下面部９２ｃに設けた挿通孔と支持プレート９６に設けた貫通穴とに貫通されている。そして、折り返し部９９ｂを設けることにより、２つの下面部９１ｃ，９２ｃの自由な回動を確保しつつ、その筒状部９９ａからの抜け出しを防止している。
【０１１７】
この実施例では、２つの扇形カバー９１，９２の上面部及び下面部の２面にバーリングカシメ部を形成し、保護カバー９０全体の強度を増加させるようにしている。しかしながら、その回動部は、機能上からは片側だけに設ける構成としても良い。なお、上面のバーリングカシメの穴径は、ターンテーブル１８の嵌合部１８ａの外径よりも大きくしている。これは、バーリングカシメの折り返し部９８ｂが板厚分だけ内側に出っ張るために、嵌合部１８ａ（調芯リング）の外径よりも大きくすることで、全体の厚みをできるだけ薄くすることができる。一方、底面についてのバーリング外径は、特に規制はないが、バーリングカシメの折り返し部９９ｂは、その板厚分だけ内側に出っ張っている。
【０１１８】
図３７は、保護カバーの第５の実施例を示すもので、蛇腹構造として構成したものである。保護カバー１００は、３枚の長方形の薄い板材からなるカバー板１０１，１０２，１０３によって構成されている。各カバー板１０１，１０２，１０３の長手方向の両端は、適宜な幅によって９０度に折り曲げられている。この３板のカバー板１０１，１０２，１０３が３層に重ね合わされていると共に、その幅方向に各カバー板の幅の分だけ進退移動可能となっている。このような複数枚のカバー板からなる保護カバー１００によって、ディスクドライブ装置１０の上面及び側面が覆われている。このような構成とすることによっても、前記実施例と同様の効果を得ることができる。
【０１１９】
以上説明したように、本発明によれば、従来の矩形型光ディスク装置の形態を成さず、ディスク記録及び／又は再生装置に内蔵されるディスクドライブ装置及びその必要デバイスだけをノート型パソコン等の電子機器を搭載している。そのため、光ディスク等のディスク状記録媒体を使用するときは、平面視してディスクの外径、またはディスクの外径の一部がノート型パソコン等の筐体の側面から突出した状態で、ディスク状記録媒体への信号の記録又は再生を行うことができる。そして、使用時以外は、見かけ上、ディスク記録及び／又は再生装置を小さいスペースに構成することができる。
【０１２０】
更に、本発明によれば、以下のような特徴も備えている。即ち、
１．ノート型パソコン等の電子機器に収納されるディスクドライブ装置をできるだけ薄型化するために、スピンドルモータと一体的に構成されるターンテーブル（調芯リング部）が下になるよう、ディスクドライブ装置を傾斜させて収納している。
２．同じく、ノート型パソコンの薄型化を目的に、スピンドルモータをディスクドライブ装置から移動可能に固定し、ディスクドライブ装置の収納時はスピンドルモータを下方に退避させることで、ディスクドライブ装置の薄型化を達成している。
３．ディスク使用時は、ノート型パソコンから突出した部分のディスクを覆うため、ノート型パソコンから引き出し可能なカバーも搭載している。
４．上記カバーは、単数又は複数の部位から成り、薄型化が可能な板金できている。
５．上記複数のカバーは、各々扇形を成し、ディスクをカバーするときには積層された各カバーは扇子の様に拡大する。
【０１２１】
本発明を適用することにより、次の効果が得られる。
１．ノート型パソコン等の電子機器の一層の小型・軽量化を図ることができる。特に、ディスクドライブ装置とカバーしか搭載しないため、従来の光ディスク装置に比べて、小さい面積で収納可能であり、部品点数も少ないため、軽量化も達成することができる。
２．他のデバイスへの有効利用と設計自由度の向上を図ることができる。本発明の形態をとれば、従来の光ディスク装置に対し、少ない収納スペースで済むため、余ったスペースをメイン基板やバッテリーなど他のデバイスに割り当てることができる。従って、一層の高性能化を達成できると共に、電子機器の設計的な自由度も増すことになる。
３．コストの削減を図ることができる。本発明は、従来の光ディスク装置に対し、部品点数を少なく構成できるため、低コストで実現することができる。
【０１２２】
以上説明した実施例は、従来の光ディスク装置に対し、何れも、ディスクドライブ装置の収納スペースを小さくすることができる。そのため、ノート型パソコンに代表されるディスク記録及び／又は再生装置において、携帯時（あるいはディスク状記録媒体の非使用時）の小型・軽量化が可能である。また、ディスク記録及び／又は再生装置の小型化をしない場合でも、そこに搭載される別のデバイス（基板、ＨＤＤ、バッテリー等）の大型化が可能であり、性能の向上を図ることができる。
【図面の簡単な説明】
【０１２３】
【図１】本発明のディスク記録及び／又は再生装置の第１の実施の例を示すノート型パーソナルコンピュータ（ノート型パソコン）の斜視図である。
【図２】図１に示すノート型パソコンの筐体の一部を断面してディスクドライブ装置の収納（旋回前）状態を説明する平面図である。
【図３】図２に示す状態に続いて、ディスクドライブ装置の旋回途中状態を説明する平面図である。
【図４】図３に示す状態に続いて、旋回後状態を説明する平面図である。
【図５】図４に示す状態に続いて、ディスクカバーの第１の実施の例の装着状態の説明図である。
【図６】本発明のディスクドライブ装置に係るドライブユニットの第１の実施の例を示す斜視図である。
【図７】本発明のディスクドライブ装置に係るドライブユニットの平面図である。
【図８】図８Ａはディスクドライブ装置の収納状態の断面図、図８Ｂは旋回後状態の断面図、図８Ｃはディスク装着状態の断面図である。
【図９】本発明のディスクドライブ装置の第２の実施の例を示すもので、図９Ａはディスクドライブ装置の収納状態の断面図、図９Ｂは旋回後状態の断面図、図９Ｃはディスク装着状態の断面図である。
【図１０】本発明のディスクドライブ装置の第３の実施の例を断面して示すもので、図１０Ａはディスクドライブ装置の収納状態の断面図、図１０Ｂは旋回後状態の断面図、図１０Ｃはディスク装着状態の断面図である。
【図１１】本発明の保護カバーの第２の実施の例を示すもので、ディスクドライブ装置の収納状態を説明する平面図である。
【図１２】本発明の保護カバーの第２の実施の例を示すもので、図１２Ａは旋回途中状態を説明する平面図、図１２Ｂは旋回後状態を説明する平面図である。
【図１３】本発明の保護カバーの第２の実施の例を示すもので、図１３Ａはディスクカバーの後退状態を説明する平面図、図１３Ｂはディスク装着状態を説明する平面図である。
【図１４】本発明の保護カバーの第２の実施の例を示すもので、図１４Ａはディスクカバーの前進状態を説明する平面図、図１４Ｂはディスクカバーの展開途中状態を説明する平面図である。
【図１５】本発明の保護カバーの第２の実施の例を示すもので、ディスクカバーの展開後状態を説明する平面図である。
【図１６】本発明の保護カバーの第２の実施の例を示すもので、ディスクカバーの組立状態の斜視図である。
【図１７】本発明の保護カバーの第２の実施の例を示すもので、ディスクカバーの分解状態の斜視図である。
【図１８】図１８Ａはディスクドライブ装置の収納状態の断面図、図１８Ｂは旋回後状態の断面図、図１８Ｃはディスクカバー展開状態の断面図である。
【図１９】本発明のディスク記録及び／又は再生装置の第２の実施の例を示すもので、ディスクドライブ装置の収納（移動前）状態を説明する平面図である。
【図２０】図２０Ａはディスクドライブ装置のみが前進して突出した状態の説明図、図２０Ｂはディスクカバーも突出した状態の説明図である。
【図２１】図２１Ａは第２の実施の例に係るディスクカバーの展開途中状態を説明する平面図、図２１Ｂはディスクカバーの展開後状態を説明する平面図である。
【図２２】第２の実施の例に係るディスクカバーを備えたノート型パソコンの外観斜視図である。
【図２３】本発明のディスクカバーの第３の実施の例を示すもので、ディスクドライブ装置の収納（移動前）状態を説明する平面図である。
【図２４】図２４Ａはディスクドライブ装置のみが前進して突出した状態の説明図、図２４Ｂはディスクドライブ装置が後退した状態の説明図である。
【図２５】図２５Ａは第３の実施の例に係るディスクカバーの展開途中状態を説明する平面図、図２５Ｂはディスクカバーの展開後状態を説明する平面図である。
【図２６】第３の実施の例に係るディスクカバーを備えたノート型パソコンの外観斜視図である。
【図２７】本発明のディスクカバーの第４の実施の例を示すもので、ディスクドライブ装置の収納（移動前）状態を説明する平面図である。
【図２８】図２８Ａはディスクドライブ装置のみが前進して突出した状態の説明図、図２８Ｂはディスクドライブ装置が後退した状態の説明図である。
【図２９】図２９Ａは第４の実施の例に係るディスクカバーの展開途中状態を説明する平面図、図２９Ｂはディスクカバーの展開後状態を説明する平面図である。
【図３０】図３０Ａはディスクドライブ装置の収納状態の断面図、図３０Ｂはディスク装着状態の断面図、図３０Ｃはディスクカバー展開状態の断面図である。
【図３１】図３０Ｃの要部を拡大した断面図である。
【図３２】ディスクカバーの分解状態の斜視図である。
【図３３】ディスクカバーの組立状態の斜視図である。
【図３４】第４の実施の例に係るディスクカバーを備えたノート型パソコンの外観斜視図である。
【図３５】図３５Ａはディスクカバーの支持構造の他の実施の例を示す平面図、図３５Ｂは同じく断面図である。
【図３６】図３５Ｂの要部を拡大した断面図である。
【図３７】第５の実施の例に係るディスクカバーを備えたノート型パソコンの外観斜視図である。
【符号の説明】
【０１２４】
１，１Ａ，１Ｂ，１Ｃ，１Ｄ  ノート型パソコン、  ２  筐体、  ３  蓋体、  ４  ヒンジ機構、  １０，１０Ａ，１０Ｂ  ディスクドライブ装置、  １１  ベースプレート、
１２  ドライブ収納部、  １４，１４Ａ  ベース枠材、  １６  光ピックアップ（ＯＰ）、  １８  ターンテーブル、  １９  スピンドルモータ、  ２０  光ディスク（ディスク状記録媒体）、  ４４  回動軸、  ４５，４５Ａ  開閉蓋、  ５０，６０，８０，９０  保護カバー、  ６１  カバーベース、  ６２，６３，６４，６５，６６，６７  扇形カバー、  ６９  段付ねじ、  ７１，７２，９４あ、９４ｂ、９５ａ  係合爪、  ７４，７５  ガイドレール、  ９５ｂ  ストッパ爪、  ９６  支持部材（支持プレート）
【図１】
2008310906.tif 000003
【図２】
2008310906.tif 000004
【図３】
2008310906.tif 000005
【図４】
2008310906.tif 000006
【図５】
2008310906.tif 000007
【図６】
2008310906.tif 000008
【図７】
2008310906.tif 000009
【図８】
2008310906.tif 000010
【図９】
2008310906.tif 000011
【図１０】
2008310906.tif 000012
【図１１】
2008310906.tif 000013
【図１２】
2008310906.tif 000014
【図１３】
2008310906.tif 000015
【図１４】
2008310906.tif 000016
【図１５】
2008310906.tif 000017
【図１６】
2008310906.tif 000018
【図１７】
2008310906.tif 000019
【図１８】
2008310906.tif 000020
【図１９】
2008310906.tif 000021
【図２０】
2008310906.tif 000022
【図２１】
2008310906.tif 000023
【図２２】
2008310906.tif 000024
【図２３】
2008310906.tif 000025
【図２４】
2008310906.tif 000026
【図２５】
2008310906.tif 000027
【図２６】
2008310906.tif 000028
【図２７】
2008310906.tif 000029
【図２８】
2008310906.tif 000030
【図２９】
2008310906.tif 000031
【図３０】
2008310906.tif 000032
【図３１】
2008310906.tif 000033
【図３２】
2008310906.tif 000034
【図３３】
2008310906.tif 000035
【図３４】
2008310906.tif 000036
【図３５】
2008310906.tif 000037
【図３６】
2008310906.tif 000038
【図３７】
2008310906.tif 000039